(57)【要約】【課題】ＯＦＤＭシンボルのガードインターバルを越えて遅れて到来する遅延波に起因するシンボル間干渉を低減させること。【解決手段】本発明による受信機は、受信信号をフーリエ変換し、サブキャリア毎に復調信号を出力する復調手段と、サブキャリア毎に信号点を硬判定し、硬判定信号を出力する硬判定手段と、硬判定結果を利用して、サブキャリア毎のレプリカ信号を作成するレプリカ生成手段と、硬判定信号及びレプリカ信号の差分を復調信号にサブキャリア毎に加えることで、キャリア間干渉を抑圧するキャリア間干渉抑圧手段を有する。レプリカ生成手段は、硬判定信号を逆フーリエ変換し、時間領域の受信信号を生成する手段と、遅延波に含まれる先行シンボルの信号成分を抑圧する手段と、時間領域の受信信号の一部を、遅延波の復調対象シンボルの前に付加し、フーリエ変換することで、レプリカ信号を作成する手段を有する。【選択図】  図１
2004289475.tif 000002
【特許請求の範囲】
【請求項１】
直交周波数分割多重（ＯＦＤＭ）方式で伝送されるＯＦＤＭシンボルを復調する受信機であって、
受信信号に含まれる先行波及び遅延波に関する遅延プロファイルを作成する遅延プロファイル作成手段と、
前記受信信号をフーリエ変換することで復調し、サブキャリア毎に復調信号を出力する復調手段と、
前記復調信号に基づいて、サブキャリア毎に信号点を硬判定し、硬判定信号を出力する硬判定手段と、
硬判定結果を利用して、サブキャリア毎のレプリカ信号を作成するレプリカ生成手段と、
前記硬判定信号及び前記レプリカ信号の差分を前記復調信号にサブキャリア毎に加えることで、キャリア間干渉を抑圧するキャリア間干渉抑圧手段
を有し、前記レプリカ生成手段が、
前記硬判定信号を逆フーリエ変換し、時間領域の受信信号を生成する手段と、
復調の対象としているＯＦＤＭシンボル（復調対象シンボル）に先行する復調済みのＯＦＤＭシンボル（先行シンボル）を利用して、前記遅延波に含まれる前記先行シンボルの信号成分を抑圧する手段と、
前記時間領域の受信信号の一部を、前記遅延波の復調対象シンボルの前に付加することで、修正された受信信号を作成する手段と、
前記修正された受信信号をフーリエ変換することで、前記レプリカ信号を作成する手段
を有することを特徴とするＯＦＤＭシンボルを復調する受信機。
【請求項２】
前記硬判定手段が、前記復調信号と、他のダイバーシチブランチにおける復調信号とを合成した信号に基づいて、サブキャリア毎に信号点を硬判定し、硬判定信号を出力するよう形成されることを特徴とする請求項１記載の受信機。
【請求項３】
前記硬判定手段が、前記復調信号を誤り訂正復号化する復号化手段と、誤り訂正復号化された信号点をサブキャリア毎に硬判定する判定手段と、硬判定結果を誤り訂正符号化することで前記硬判定信号を出力する出力手段とを有することを特徴とする請求項１記載の受信機。
【請求項４】
硬判定信号の作成、レプリカ信号の作成及びキャリア間干渉の抑制を含む一連の処理を行う処理系路が、多段に設けられることを特徴とする請求項１記載の受信機。
【請求項５】
遅延波に含まれる復調対象シンボルに先行する部分の信号内容が、前記時間領域の受信信号の一部に等しくなるように、前記受信信号が修正されることを特徴とする請求項１記載の受信機。
【請求項６】
直交周波数分割多重（ＯＦＤＭ）方式で伝送されるＯＦＤＭシンボルを復調する受信機であって、
受信信号に含まれる先行波及び遅延波に関する遅延プロファイルを作成する遅延プロファイル作成手段と、
復調の対象としているＯＦＤＭシンボル（復調対象シンボル）に先行する復調済みのＯＦＤＭシンボル（先行シンボル）を利用して、前記遅延波に含まれる前記先行シンボルの信号成分を抑圧することで、シンボル間干渉を抑圧するシンボル間干渉抑圧手段と、
前記シンボル間干渉抑圧手段からの出力信号をフーリエ変換することで復調し、サブキャリア毎に復調信号を出力する復調手段と、
前記復調信号に基づいて、サブキャリア毎に信号点を硬判定し、硬判定信号を出力する硬判定手段と、
硬判定結果を利用して、サブキャリア毎のレプリカ信号を作成するレプリカ生成手段と、
前記硬判定信号及び前記レプリカ信号の差分を前記復調信号にサブキャリア毎に加えることで、キャリア間干渉を抑圧するキャリア間干渉抑圧手段
を有し、前記レプリカ生成手段が、
前記硬判定信号を逆フーリエ変換し、時間領域の受信信号を生成する手段と、
前記時間領域の受信信号の一部を、前記遅延波の復調対象シンボルの前に付加することで、修正された受信信号を作成する手段と、
前記修正された受信信号をフーリエ変換することで、前記レプリカ信号を作成する手段
を有することを特徴とするＯＦＤＭシンボルを復調する受信機。
【請求項７】
前記硬判定手段が、前記復調信号と、他のダイバーシチブランチにおける復調信号とを合成した信号に基づいて、サブキャリア毎に信号点を硬判定し、硬判定信号を出力するよう形成されることを特徴とする請求項６記載の受信機。
【請求項８】
前記硬判定手段が、前記復調信号を誤り訂正復号化する復号化手段と、誤り訂正復号化された信号点をサブキャリア毎に硬判定する判定手段と、硬判定結果を誤り訂正符号化することで前記硬判定信号を出力する出力手段とを有することを特徴とする請求項６記載の受信機。
【請求項９】
硬判定信号の作成、レプリカ信号の作成及びキャリア間干渉の抑制を含む一連の処理を行う処理系路が、多段に設けられることを特徴とする請求項６記載の受信機。
【請求項１０】
遅延波に含まれる復調対象シンボルに先行する部分の信号内容が、前記時間領域の受信信号の一部に等しくなるように、前記受信信号が修正されることを特徴とする請求項６記載の受信機。
【発明の詳細な説明】
【０００１】
【発明の属する技術分野】
本発明は、一般に受信信号の復調技術に関連し、特に直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｐｌｅｘｉｎｇ）方式で伝送される信号（ＯＦＤＭ信号又はＯＦＤＭシンボル）を復調するための受信機に関する。
【０００２】
【従来の技術】
この種の技術分野で現在検討されている広帯域無線通信（次世代移動通信）では、マルチパス伝搬環境に配慮してシステムを構築する必要がある。マルチキャリア変調方式は、所与の伝送帯域に対して複数の搬送波（サブキャリア）を使用し、信号を並列に伝送することで、マルチパス伝搬環境で特に問題となる周波数選択性フェージングの影響を抑制している。特に、ＯＦＤＭ方式は、有効シンボルどうしの間にガードインターバル（ＧＩ：Ｇｕａｒｄ  Ｉｎｔｅｒｖａｌ）を付加する。これにより、ガードインターバル長以内のマルチパス遅延波に対して、符号間干渉を効果的に抑圧し、等化を用いずに復調し、マルチパスフェージングに効果的に対処することが可能になる。一方、先行波に対する遅延波の遅延量（遅延スプレッド）は、通信環境に依存して大きく異なる。例えばその遅延量は市街地で０．２ないし２．０μｓ程度であったとしても、山岳地や盆地では１０ないし２０μｓに達する場合もある。従って、このような観点からは、先行波に続いて到来する総ての遅延波が、ガードインターバルの範疇に包含されるように、ガードインターバルを充分に長く設定すべきである。
【０００３】
しかしながら、ガードインターバルは冗長シンボルでもあるので、これを長く設定しつつ伝送効率を低下させないためには、ＯＦＤＭシンボル全体の長さを増加させ、ガードインターバルと有効シンボル長との比率を一定以上に維持する必要がある。しかしながら、ＯＦＤＭシンボル長を増加させると、先ず、１シンボル期間内でフェージングが一定でなくなり、フェージングに対する耐性が弱くなってしまう。また、ＯＦＤＭシンボル長（Ｔｓ）の増加により、サブキャリア間隔（Δｆ＝１／Ｔｓ）は小さくなるので、ドップラーシフトに対する耐性も弱くなり、また、ピーク対平均電力比も増大してしまう（非線形歪みによる特性劣化が生じてしまう。）。このため、ガードインターバルを適切な長さに設定し、これを越えて遅れて到来する遅延波に対しては、何らかの補償を別途行うのが一般的である。
【０００４】
非特許文献１は、使用帯域全体に影響するシンボル間干渉（ＩＳＩ：Ｉｎｔｅｒ  Ｓｙｍｂｏｌ  Ｉｎｔｅｒｆｅｒｅｎｃｅ）を抑圧するために、復調処理における高速フーリエ変換（ＦＦＴ：Ｆａｓｔ  Ｆｏｕｒｉｅｒ  Ｔｒａｎｓｆｏｒｍ）の際に、干渉を引き起こす部分に時間領域でフィルタリングを行い、最尤系列推定（ＭＬＳＥ：Ｍａｘｉｍｕｍ  Ｌｉｋｅｌｉｈｏｏｄ  Ｓｅｑｕｅｎｃｅ  Ｅｓｔｉｍａｔｉｏｎ）を行っている（従来の他の手法については、例えば特許文献１参照。）。
【０００５】
【非特許文献１】
須山，「ガードインターバルを超える遅延プロファイルのマルチパス環境に対するＯＦＤＭ受信方式」，信学技報ＲＣＳ２００１−１７５，２００１−１１
【０００６】
【特許文献１】
特開平１１−２９８４３４号公報
【０００７】
【発明が解決しようとする課題】
しかしながら、非特許文献１のような技術によれば、サブキャリア毎にＭ２個（Ｍは、変調多値数）の状態を有するビタビ（Ｖｉｔｅｒｂｉ）等化器を必要とする。従ってこの手法は、受信機の回路規模、演算量、消費電力等の点で不利になる。特に小型であることを要する携帯用通信機器の用途では不利である。
【０００８】
ところで、変調多値数Ｍを適応的に変更することで、信号伝送効率を向上させようとする通信システム（適応変調システム）が、現在研究されている。このような通信システムに、上記の従来技術を利用すると、最も大きな変調指数Ｍに合わせて受信機の回路を用意する必要性が生じるので、従来の手法は適応変調システムに組み込むことが困難になる点でも不利である。
【０００９】
また、従来の手法では、最尤系列推定（ＭＬＳＥ）を行うことで、信号点を硬判定（ｈａｒｄ  ｄｅｃｉｓｉｏｎ）しているので、信号点の確からしさについての尤度情報又は軟判定（ｓｏｆｔ  ｄｅｃｉｓｉｏｎ）情報が有効に活用されておらず、誤り訂正技術を１００％活用することができない点でも不利である。
【００１０】
本願の課題は、ＯＦＤＭシンボルのガードインターバルを越えて遅れて到来する遅延波に起因するシンボル間干渉を低減させることの可能な受信機を提供することである。
【００１１】
本願の別の課題は、ＯＦＤＭシンボルのガードインターバルを越えて遅れて到来する遅延波に起因するシンボル間干渉を低減させることが可能であり、復調のための回路規模を小さくすることの可能な受信機を提供することである。
【００１２】
本願の別の課題は、ＯＦＤＭシンボルのガードインターバルを越えて遅れて到来する遅延波に起因するシンボル間干渉を低減させることが可能であり、復調に際して軟判定情報を維持することの可能な受信機を提供することである。
【００１３】
【課題を解決するための手段】
本発明によれば、
直交周波数分割多重（ＯＦＤＭ）方式で伝送されるＯＦＤＭシンボルを復調する受信機であって、
受信信号に含まれる先行波及び遅延波に関する遅延プロファイルを作成する遅延プロファイル作成手段と、
前記受信信号をフーリエ変換することで復調し、サブキャリア毎に復調信号を出力する復調手段と、
前記復調信号に基づいて、サブキャリア毎に信号点を硬判定し、硬判定信号を出力する硬判定手段と、
硬判定結果を利用して、サブキャリア毎のレプリカ信号を作成するレプリカ生成手段と、
前記硬判定信号及び前記レプリカ信号の差分を前記復調信号にサブキャリア毎に加えることで、キャリア間干渉を抑圧するキャリア間干渉抑圧手段
を有し、前記レプリカ生成手段が、
前記硬判定信号を逆フーリエ変換し、時間領域の受信信号を生成する手段と、
復調の対象としているＯＦＤＭシンボル（復調対象シンボル）に先行する復調済みのＯＦＤＭシンボル（先行シンボル）を利用して、前記遅延波に含まれる前記先行シンボルの信号成分を抑圧する手段と、
前記時間領域の受信信号の一部を、前記遅延波の復調対象シンボルの前に付加することで、修正された受信信号を作成する手段と、
前記修正された受信信号をフーリエ変換することで、前記レプリカ信号を作成する手段
を有することを特徴とするＯＦＤＭシンボルを復調する受信機
が、提供される。
【００１４】
【発明の実施の形態】
図１は、本願第１実施例による受信機の機能ブロック図を示す。受信機１００は、ＯＦＤＭ方式で伝送された信号を受信し、この受信信号に関する遅延プロファイルを作成する遅延プロファイル作成部１０２を有する。遅延プロファイル作成手段１０２の出力は、入力された信号に高速フーリエ変換を行うＦＦＴ部１０４に与えられる。尚、簡単のため、ＦＦＴ部及び後述するＩＦＦＴ部に関連する直列−並列変換及び並列−直列変換を行う部分は省略されている。受信機１００は復調部１０６を有し、復調部１０６は、受信信号を高速フーリエ変換するＦＦＴ部１０８と、ＦＦＴ部１０８に接続されたチャネル補償部１１０を有する。チャネル補償部１１０は、ＦＦＴ部１０４を経て得られる遅延プロファイル１０２からの情報に基づいて、ＦＦＴ部１０８からの信号の振幅及び位相をサブキャリア毎に調整し、復調信号を出力する。
【００１５】
受信機１００は、復調部１０６に接続された硬判定部１１２を有し、硬判定部１１２は、復調部１０６から得られる信号点をサブキャリア毎に硬判定する。受信機１００は、硬判定部１１２に接続されたレプリカ生成部１１４を有する。レプリカ生成部１１４は、硬判定部１１２に接続され、逆フーリエ変換を行うＩＦＦＴ部１１６を有する。レプリカ生成部１１４は、ＩＦＦＴ部１１６に接続された受信信号修正部１１８を有し、受信信号修正部１１８は受信信号中の干渉成分を抑圧する抑制部１２０と、その干渉成分が含まれていた干渉区間に所定の信号成分を加える加算部１２２とを有する。レプリカ生成部１１４は、受信信号修正部１１８に接続され、高速フーリエ変換を行うＦＦＴ部１２４を有する。更に、レプリカ生成部１１４は、ＦＦＴ部１２４に接続されたチャネル補償部１２６を有する。チャネル補償部１２６の出力は、サブキャリア毎のレプリカ信号であり、レプリカ生成部１１４の出力を形成する。受信機１００は、ＩＣＩ抑制部１２８を有し、ＩＣＩ抑制部１２８は、サブキャリア毎に、レプリカ生成部１１４の入出力間の差分を復調部１０６からの復調信号に加えることで、キャリア間干渉を抑圧する。
【００１６】
更に、受信機１００は、ＩＣＩ抑制部１２８に接続され、サブキャリア毎に信号点を硬判定する硬判定部１３０を有する。受信機１００は、硬判定部１３０に接続され、逆フーリエ変換を行うＩＦＦＴ部１３２を有する。受信機１００は、ＩＦＦＴ部１３２に接続され、入力された信号を一シンボル期間遅延させる遅延部１３４を有する。遅延部１３４は、受信信号修正部１１８内の抑制部１２０に接続される。
【００１７】
動作を次に説明する。受信機１００にて受信されたＯＦＤＭ信号は、不図示の無線部を通じてベースバンド信号に変換され、ガードインターバルが除去された後に、遅延プロファイル作成部１０２に入力される。遅延プロファイル作成部１０２は、例えばＦＦＴウインドウ幅のような所定の期間にわたって、受信信号ｒに含まれる先行波、及び先行波に対して遅れて到来する複数の遅延波のタイミング、振幅（エネルギ）及び位相を見出す。これら遅延波の１つ１つは、「マルチパス（ｍｕｌｔｉｐａｔｈ）成分」又は単に「パス」とも言われる。遅延プロファイルに関する情報（タイミング、振幅及び位相）は、時間領域における処理を行う受信信号修正部１１８に与えられる。また、遅延プロファイルに関する情報は、更にＦＦＴ部１０４により周波数領域の情報に変換された後にチャネル補償部１１０，１２６にも与えられる。簡単のため、受信信号には２つのパスのみが含まれ、先行波に対する遅延波の遅延時間はガードインターバル長より大きいものとする。
【００１８】
受信信号ｒは復調部１０６における高速フーリエ変換及びチャネル補償を経て復調され、復調信号ｄｉ（ｉ＝１，．．．，Ｎ，Ｎはサブキャリア数）を出力する。受信信号には、ガードインターバルを超える遅延波が含まれているので、復調信号ｄｉは、本来の信号から歪んだ信号となることが予想される。復調信号ｄｉは、硬判定部１１２に与えられ、サブキャリア毎に硬判定がなされ、硬判定部１１２は各復調信号ｄｉを硬判定信号Ｄｉに変換する。硬判定信号Ｄｉは、ＩＦＦＴ部１１６に入力され、時間領域の受信信号に変換される。この時間領域の受信信号は、受信信号修正部１１８で修正される。
【００１９】
図２は、受信信号に含まれる先行波２０２及び遅延波２０４を示す図である。先行波２０２及び遅延波２０４は別々に描かれているが、実際にはこれらが重なり合って受信信号を形成する。図示されているように、目下の復調の対象となっているｋ番目のＯＦＤＭシンボル２０６，２０８と、それに先行するｋ−１番目のＯＦＤＭシンボル２１０，２１２と、ガードインターバルＧＩ  ２１４，２１６が描かれている。受信機は、一連のＯＦＤＭシンボルを受信し、次々とＯＦＤＭシンボルを復調してゆく。復調時のフーリエ変換は、例えば先行波の有効シンボル期間（ｋ番目のＯＦＤＭシンボルを復調する場合には、参照番号２０６の部分）に合わせて行われる。この場合に、先行波及び遅延波の両者に含まれる同一のシンボル（ｋ番目のＯＦＤＭシンボル）については、サブキャリアの直交性に起因して、シンボル間干渉は非常に少ない。しかし、異なるシンボルとの間で生じるシンボル間干渉は、無視することのできない影響を与える。この例では、先行波２０２のｋ番目のＯＦＤＭシンボル２０６と、遅延波２０４のｋ−１番目のＯＦＤＭシンボル２１２（ＳＩにて示される干渉区間）とがシンボル間干渉を引き起こす。
【００２０】
シンボル間干渉の影響を受けた受信信号は、復調部１０６にて復調され、復調信号ｄｉとして出力される。この復調信号ｄｉは硬判定部１１２にて硬判定され、硬判定信号Ｄｉとして出力される。例えば、ＱＰＳＫ変調を想定し、復調信号ｄ１が、信号点配置（ｓｉｇｎａｌ  ｃｏｎｓｔｅｌｌａｔｉｏｎ）の第１象限に属していたならば、硬判定信号Ｄ１は（１，１）を示すシンボルになる。硬判定信号Ｄｉは、ＩＦＦＴ部１１６に入力され、時間領域の受信信号２１６に変換される。
【００２１】
受信機１００では、ＯＦＤＭシンボルを受信する毎に順に復調するので、ｋ番目のＯＦＤＭシンボルを復調する時点では、ｋ−１番目のＯＦＤＭシンボルの復調は完了している。このｋ−１番目のＯＦＤＭシンボルの各データは、サブキャリア毎に硬判定部１３０に入力され、硬判定された後にＩＦＦＴ部１３２に入力され、一シンボル期間バッファリングを行う遅延部１３４に入力される。従って、ｋ番目のＯＦＤＭシンボルを復調する際には、ｋ−１番目のＯＦＤＭシンボルは既に復調されており、それは遅延部１３４に格納されている。
【００２２】
受信信号修正部１１８には、ｋ番目及びｋ−１番目の時間領域の受信信号が入力される。抑制部１２０では、遅延プロファイル作成部１０２からの遅延波に対するタイミング、振幅及び位相に基づいて、ｋ−１番目のＯＦＤＭシンボルの内、ｋ番目のＯＦＤＭシンボルの復調時に干渉を引き起こす干渉区間ＳＩの信号成分を抽出する。そして、時間領域の受信信号に含まれる遅延波の干渉区間ＳＩの信号成分が相殺されるように、タイミング、振幅及び位相を調整する。なお、干渉区間ＳＩは、遅延波におけるｋ−１番目のＯＦＤＭシンボルの後部であり、その区間の長さは遅延波２０４の遅延量τからガードインターバルＧＩの長さを引いた期間に対応する。
【００２３】
更に、加算部１１２では、遅延波２０４におけるｋ番目のＯＦＤＭシンボル２０８に先行する長さτの区間（τは、遅延波の遅延量に等しい。）が、ｋ番目のＯＦＤＭシンボルの後部Ｓｋに等しくなるように、タイミング、振幅及び位相が調整されながら、抑制部１２０からの信号に加算される。Ｓｋの長さはτに等しく、その信号内容は、目下暫定的に復調したｋ番目のＯＦＤＭシンボルの末尾の部分に等しい。
【００２４】
言い換えれば、受信信号修正部１１８は、受信信号に含まれる遅延波２０４の部分を修正し、その修正内容は、ｋ−１番目のＯＦＤＭシンボルに関する干渉部分ＳＩを除去し、除去された区間ＳＩ及びガードインターバルＧＩ２１６の部分の信号内容が、Ｓｋに等しくなるようにするものである。なお、ガードインターバル２１６の部分は、そのＯＦＤＭシンボルの末尾部分に等しいので、受信信号修正部１１８にて信号内容の実質的な修正が行われる区間は、干渉部分ＳＩに対する区間である。このように修正された受信信号には、ｋ番目のＯＦＤＭシンボルに対してシンボル間干渉を引き起こす信号成分が含まれていないことになる。
【００２５】
受信信号修正部１１８にて修正された受信信号は、ＦＦＴ部１２４に与えられ、フーリエ変換された後にチャネル推定器１２６に入力され、レプリカ信号ｄｉ’にとしてサブキャリア毎に出力される。
【００２６】
ＩＣＩ抑制部１２８は、復調信号ｄｉに、硬判定信号Ｄｉとレプリカ信号ｄｉ’との差分を付加することで、修正された復調信号をサブキャリア毎に出力する。受信信号修正部１１８の出力信号は、先行波及び遅延波に関する信号成分を含むが、ｋ番目のＯＦＤＭシンボルについてはシンボル間干渉が生じないように遅延波の信号成分が修正されている。この出力信号をＦＦＴ部１２４でフーリエ変換し、伝搬路に合わせて補償すると、シンボル間干渉の影響を有しないレプリカ信号がサブキャリア毎に得られる。一方、受信信号におけるキャリア間干渉の影響は、各キャリアに対して白色であるので（キャリア間干渉には周波数選択性がないので）、複数のサブキャリア全体に干渉の影響が及んでいる。したがって、レプリカ生成部１１４の入力信号及び出力信号の差分は、サブキャリア毎のシンボル間干渉（キャリア間干渉）の影響を示す信号となる。この差分を復調信号ｄｉから除去することで、キャリア間干渉の抑制された復調信号を得ることが可能になる。ＩＣＩ抑制部１２８の出力信号は、不図示の後段の処理部に与えられる一方、次の（ｋ＋１番目の）ＯＦＤＭシンボルの復調に備えるために硬判定部１３０にも与えられる。
【００２７】
図３は、本願第２実施例による受信機の機能ブロック図を示す。受信機３００は、ＯＦＤＭ信号を受信し、遅延プロファイルを作成する遅延プロファイル作成部３０２を有する。遅延プロファイル作成部３０２は、高速フーリエ変換を行うＦＦＴ部３０４に接続される。尚、簡単のため、ＦＦＴ部又はＩＦＦＴ部に関連する直列−並列変換及び／又は並列−直列変換を行う部分は省略されている。受信機３００は復調部３０６を有し、復調部３０６は、高速フーリエ変換するＦＦＴ部３０８と、ＦＦＴ部３０８に接続されたチャネル補償部３１０を有する。チャネル補償部３１０は、遅延プロファイルに基づいて、ＦＦＴ部３０８の出力信号の振幅及び位相を調整し、サブキャリア毎に復調信号を出力する。
【００２８】
受信機３００は、復調部３０６に接続された硬判定部３１２を有し、硬判定部３１２は、復調部３０６から得られる信号点をサブキャリア毎に硬判定する。受信機３００は、硬判定部３１２に接続されたレプリカ生成部３１４を有する。レプリカ生成部３１４は、硬判定部３１２に接続され、逆フーリエ変換を行うＩＦＦＴ部３１６を有する。レプリカ生成部３１４は、ＩＦＦＴ部３１６に接続された受信信号修正部３１８を有し、受信信号修正部３１８は受信信号中の干渉成分が含まれていた区間に所定の信号成分を加える。レプリカ生成部３１４は、受信信号修正部３１８に接続され、高速フーリエ変換を行うＦＦＴ部３２４を有する。更に、レプリカ生成部３１４は、ＦＦＴ部２２４に接続されたチャネル補償部３２６を有する。チャネル補償部３２６の出力は、レプリカ生成部３１４の出力を形成する。受信機３００は、ＩＣＩ抑制部３２８を有し、ＩＣＩ抑制部３２８は、サブキャリア毎に、レプリカ生成部３１４の入出力間の差分を復調部３０６からの復調信号に加えることで、キャリア間干渉を抑圧する。
【００２９】
受信機３００は、ＩＣＩ抑制部３２８に接続され、サブキャリア毎に信号点を硬判定する硬判定部３３０を有する。受信機３００は、硬判定部３３０に接続され、逆フーリエ変換を行うＩＦＦＴ部３３２を有する。受信機３００は、ＩＦＦＴ部３３２に接続され、入力された信号を一シンボル期間遅延させる遅延部３３４を有する。
【００３０】
更に、受信機３００は、シンボル間干渉成分を抽出する抽出部３３６を有し、抽出部３３６は、遅延部３３４からの復調済みのＯＦＤＭシンボルと、遅延プロファイル生成部３０２からの情報に基づいて、シンボル間干渉を引き起こす干渉区間ＳＩの信号成分を抽出する。受信機３００は、受信信号中のシンボル間干渉成分を抑制する抑制部３３８を有し、抑制部３３８は、受信信号に含まれる干渉成分が、抽出部３３６で抽出した信号成分と相殺されるようにそれらを合成し、干渉成分の除去された信号が後段の復調部３０６に与えられる。
【００３１】
動作を次に説明する。第１実施例と同様に、受信機３００に受信されたＯＦＤＭ信号は、遅延プロファイル作成部３０２に入力される。遅延プロファイル作成部３０２は、受信信号に含まれる先行波、及び先行波に対して遅れて到来する複数の遅延波のタイミング、振幅（エネルギ）及び位相を検出する。遅延プロファイルに関する情報（タイミング、振幅及び位相）は、時間領域における処理を行う受信信号修正部３１８及び抽出部３３６に与えられる。また、遅延プロファイルに関する情報は、ＦＦＴ部３０４により周波数領域の情報に変換された後にチャネル補償部３１０，３２６にも与えられる。簡単のため、受信信号には２つのパスのみが含まれ、先行波に対する遅延波の遅延時間はガードインターバル長より大きいものとする。
【００３２】
受信機３００では、ＯＦＤＭシンボルを受信する毎に順に復調するので、目下復調しようとしているＯＦＤＭシンボルがｋ番目のものであるとすると、その時点では、ｋ−１番目のＯＦＤＭシンボルの復調は既に完了している。このｋ−１番目のＯＦＤＭシンボルの各データは、サブキャリア毎に硬判定部３３０に入力され、硬判定された後にＩＦＦＴ部３３２に入力され、一シンボル期間バッファリングを行う遅延部３３４に入力されている。従って、ｋ番目のＯＦＤＭシンボルが復調される時点では、ｋ−１番目のＯＦＤＭシンボルは既に復調済みであり、それは遅延部３３４に格納されている。
【００３３】
抽出部３２６では、遅延プロファイル作成部３０２からの遅延波に対するタイミング、振幅及び位相に基づいて、ｋ−１番目のＯＦＤＭシンボルの内、ｋ番目のＯＦＤＭシンボルの復調時に干渉を引き起こす干渉区間ＳＩの信号成分を抽出する（図２参照）。そして、抑制部３３８は、受信信号に含まれる遅延波の干渉を引き起こす部分と、抽出部３３６で抽出した干渉部分ＳＩとが相殺されるように、振幅及び位相を調整しながら信号を合成する。なお、合成するタイミング、振幅及び位相の調整は、抽出部３３６で行っても良いし、抑制部３３８の合成時に行っても良い。このようにして、受信信号に含まれる遅延波の内、シンボル間干渉を引き起こす部分の抑制された受信信号が、復調部３０６に与えられる。
【００３４】
復調部３０６は、入力された信号に高速フーリエ変換及びチャネル補償を行って復調し、復調信号ｄｉ（ｉ＝１，．．．，Ｎ，Ｎはサブキャリア数）を出力する。復調信号ｄｉは、硬判定部３１２に与えられ、サブキャリア毎に硬判定がなされ、硬判定部３１２は各復調信号ｄｉを硬判定信号Ｄｉに変換する。硬判定信号Ｄｉは、ＩＦＦＴ部３１６に入力され、時間領域の受信信号に変換される。この時間領域の受信信号は、受信信号修正部３１８で更に修正される。
【００３５】
受信信号修正部３１８では、遅延波２０４（図２）におけるｋ番目のＯＦＤＭシンボル２０８に先行する長さτの区間が、ｋ番目のＯＦＤＭシンボルの後部Ｓｋに等しくなるように修正される。Ｓｋの長さはτに等しく、その信号内容は、目下暫定的に復調したｋ番目のＯＦＤＭシンボルの末尾の部分に等しい。
【００３６】
言い換えれば、受信信号の内のｋ−１番目のＯＦＤＭシンボルに関する干渉部分ＳＩは、抑制部３３８で既に除去されている。受信信号修正部３１８は、受信信号修正部３１８は、その除去された区間ＳＩ及びガードインターバルＧＩ２１６の部分の信号内容が、Ｓｋに等しくなるようにするものである。なお、ガードインターバル２１６の部分は、そのＯＦＤＭシンボルの末尾部分に等しいので、受信信号修正部３１８にて信号内容の実質的な修正が行われる区間は、干渉部分ＳＩに対する区間である。
【００３７】
受信信号修正部３１８にて修正された受信信号は、ＦＦＴ部３２４に与えられ、フーリエ変換された後にチャネル補償器３２６に入力され、レプリカ信号ｄｉ’にとしてサブキャリア毎に出力される。
【００３８】
ＩＣＩ抑制部３２８は、復調信号ｄｉに、硬判定信号Ｄｉとレプリカ信号ｄｉ’との差分を付加することで、修正された復調信号をサブキャリア毎に出力する。第１実施例と同様に、受信信号修正部３１８の出力信号は、先行波及び遅延波に関する信号成分を含むが、ｋ番目のＯＦＤＭシンボルについてはシンボル間干渉が生じないように遅延波の信号成分が修正されている。この出力信号をＦＦＴ部３２４でフーリエ変換し、伝搬路に合わせて補償すると、シンボル間干渉の影響を有しないレプリカ信号がサブキャリア毎に得られる。したがって、レプリカ生成部３１４の入力信号及び出力信号の差分は、サブキャリア毎のシンボル間干渉（キャリア間干渉）の影響を示す信号となる。従って、この差分を復調信号ｄｉから除去することで、キャリア間干渉の抑制された復調信号を得ることが可能になる。ＩＣＩ抑制部３２８の出力信号は、不図示の後段の処理部に与えられる一方、次の（ｋ＋１番目の）ＯＦＤＭシンボルの復調に備えるために硬判定部３３０にも与えられる。
【００３９】
本実施例によれば、抽出部３３６及び抑制部３３８を備えているので、受信信号中の遅延波の内、シンボル間干渉を引き起こす干渉部分ＳＩの信号内容を、復調部３０６の復調前に受信信号から除去することが可能である。このため、復調部３０６からの復調信号ｄｉは、干渉区間ＳＩの信号が受信信号に含まれたまま高速フーリエ変換等を行っていた第１実施例の場合に比べて、高精度化される。このことは、硬判定部３１２における硬判定結果の確度を向上させ、キャリア間干渉を適切に除去することを可能にする。ただし、復調部３０６に入力される受信信号中の遅延波の内、干渉を引き起こすと判定された干渉区間（ＳＩで示される区間）の信号レベルはゼロになっている（それをゼロになるように、抽出部からの信号が加えられる。）。このように修正された遅延波は、第１実施例の場合ほど大きなシンボル間干渉を引き起こさないが、干渉区間ＳＩの時間サンプル情報を総てゼロにしたことで、復調部３０６の復調信号は幾分歪んだものになる。この歪みは、ＩＣＩ抑制部３２８で抑制される。このように本願実施例は、第１実施例に比べて高精度にキャリア間干渉を抑制することが可能になる。これに対して、第１実施例は、第２実施例に比べて構成が簡易な点で有利である。
【００４０】
図４は、硬判定部の変形例を示す図である。本実施例では、アンテナダイバーシチを行う受信機を想定している。硬判定部４０２は、第１実施例の硬判定部１１２，１３０又は第２実施例の硬判定部３１２，３３０の代りに使用することが可能である。硬判定部４０２は、第１復調信号ｄｉ（１）と第２復調信号ｄｉ（２）を合成する合成部４０４を有する。硬判定部４１２は、合成された復調信号をサブキャリア毎にそれぞれ硬判定する判定部４０６を有する。
【００４１】
本実施例では、図１又は図３に示されるような受信信号を処理する手段が、各ダイバーシチブランチに設けられている。合成部４０４では、あるダイバーシチブランチの復調信号（第１復調信号ｄｉ（１））と、他のダイバーシチブランチからの復調信号（第２復調信号ｄｉ（２））とが合成される。これにより、復調信号の精度及び硬判定の確度を向上させ、キャリア間干渉を適切に除去することが可能になる。
【００４２】
図５は、硬判定部の変形例を示す図である。硬判定部５０２は、第１実施例の硬判定部１１２，１３０又は第２実施例の硬判定部３１２，３３０の代りに使用することが可能である。硬判定部５０２は、サブキャリア毎に得られる復調信号に対して、誤り訂正復号化を行う誤り訂正復号部５０４と、硬判定を行う判定部５０６と、誤り訂正符号化を行う誤り訂正符号化部５０８を有する。本実施例によれば、誤り訂正後に硬判定が行われるので、硬判定の精度を向上させることが可能になる。これにより、伝送路が劣悪な環境であっても高精度に硬判定が行われ、キャリア間干渉を適切に除去することが可能になる。
【００４３】
図６は、本願第３実施例による受信機の機能ブロック図を示す。受信機６００は、ガードインターバルの除去されたＯＦＤＭ信号の遅延プロファイルを作成する遅延プロファイル作成部６０２を有する。遅延プロファイル作成部６０２の出力は、高速フーリエ変換を行うＦＦＴ部６０４に与えられる。受信機６００は復調部６０６を有し、復調部１０６は、受信信号を高速フーリエ変換し、遅延プロファイルを利用してチャネル補償を行うことで、第１復調信号Ａを出力する。
【００４４】
受信機６００は、第１復調信号修正部６０３を有し、第１復調信号修正部６０３は、第１復調信号Ａを修正した第２復調信号Ｂを出力する。受信機６００は、第２復調信号修正部６０５を有し、第２復調信号修正部６０５は、第２復調信号Ｂを修正した第３復調信号Ｃを出力する。更に、受信機６００は、第３復調信号修正部６０７を有し、第３復調信号修正部６０７は、第３復調信号Ｃを修正した第４復調信号Ｄを出力する。第１乃至第３復調信号修正部６０３，６０５，６０７は同様な構成を有するので、第１復調信号修正部６０３に関する構成を概説する。
【００４５】
第１復調信号修正部６０３は、第１実施例と同様に、第１復調信号Ａをサブキャリア毎に硬判定する硬判定部６１２を有する。受信機６００は、硬判定部６１２に接続されたレプリカ生成部６１４を有する。レプリカ生成部６１４は、硬判定部６１２に接続され、逆フーリエ変換を行うＩＦＦＴ部６１６を有する。レプリカ生成部６１４は、ＩＦＦＴ部６１６に接続された受信信号修正部６１８を有し、受信信号修正部６１８は受信信号中の干渉成分を抑圧し、その干渉成分が含まれていた部分に所定の信号成分を加える。レプリカ生成部６１４は、受信信号修正部６１８に接続され、高速フーリエ変換を行うＦＦＴ部６２４を有する。更に、レプリカ生成部６１４は、ＦＦＴ部６２４に接続されたチャネル補償部６２６を有する。チャネル補償部６２６の出力は、サブキャリア毎のレプリカ信号であり、レプリカ生成部６１４の出力を形成する。受信機６００は、ＩＣＩ抑制部６２８を有し、ＩＣＩ抑制部１２８は、サブキャリア毎に、レプリカ生成部６１４の入出力間の差分を復調部６０６からの復調信号に加えることで、キャリア間干渉を抑圧する。
【００４６】
更に、受信機６００は、ＩＣＩ抑制部６２８に接続され、サブキャリア毎に信号点を硬判定する硬判定部６３０を有する。受信機６００は、硬判定部６３０に接続され、逆フーリエ変換を行うＩＦＦＴ部６３２を有する。受信機６００は、ＩＦＦＴ部６３２に接続され、入力された信号を一定期間遅延させる遅延部６３４を有する。
【００４７】
動作を次に説明する。受信機６００に受信されたＯＦＤＭ信号は、不図示の無線部を通じてベースバンド信号に変換され、遅延プロファイル作成部６０２に入力される。遅延プロファイル作成部６０２は、所定の期間にわたる遅延プロファイルを見出す。遅延プロファイルに関する情報（タイミング、振幅及び位相）は、時間領域における処理を行う受信信号修正部６１８に与えられる。また、遅延プロファイルに関する情報は、更にＦＦＴ部６０４により周波数領域の情報に変換された後に復調部６０６及びチャネル補償部６２６に与えられる。
【００４８】
受信信号は復調部６０６における高速フーリエ変換及びチャネル補償を経て復調され、第１復調信号Ａを出力する。第１復調信号Ａは、硬判定部６１２に与えられ、サブキャリア毎に硬判定がなされ、硬判定信号に変換される。硬判定信号は、ＩＦＦＴ部６１６に入力され、時間領域の受信信号に変換される。この時間領域の受信信号は、受信信号修正部６１８で修正される。
【００４９】
受信機６００では、ＯＦＤＭシンボルを受信する毎に順に復調するので、ｋ番目のＯＦＤＭシンボルを復調する時点では、ｋ−１番目以前のＯＦＤＭシンボルの復調は完了している。このｋ−１番目以前のＯＦＤＭシンボルの各データは、サブキャリア毎に硬判定部６３０に入力され、硬判定された後にＩＦＦＴ部６３２に入力され、一シンボル期間バッファリングを行う遅延部６３４に入力される。
【００５０】
受信信号修正部６１８には、ｋ番目及びｋ−１番目の時間領域の受信信号が入力される。ここでは、遅延プロファイル作成部６０２からの遅延波に対するタイミング、振幅及び位相に基づいて、ｋ−１番目のＯＦＤＭシンボルの内、ｋ番目のＯＦＤＭシンボルの復調時に干渉を引き起こす干渉区間ＳＩの信号成分を抽出する。そして、時間領域の受信信号に含まれる遅延波の干渉部分ＳＩが相殺されるように、振幅及び位相を調整しながら、信号を合成する。更に、受信信号修正部６１８では、遅延波２０４におけるｋ番目のＯＦＤＭシンボル２０８に先行する長さτの区間が、ｋ番目のＯＦＤＭシンボルの後部Ｓｋに等しくなるように、タイミング、振幅及び位相を調整しながら、修正される。言い換えれば、受信信号修正部６１８は、受信信号に含まれる遅延波２０４の部分を修正し、その修正内容は、ｋ−１番目のＯＦＤＭシンボルに関する干渉部分ＳＩを除去し、除去された区間ＳＩ及びガードインターバルＧＩ２１６の部分の信号内容が、Ｓｋに等しくなるようにするものである。
【００５１】
受信信号修正部６１８にて修正された受信信号は、ＦＦＴ部６２４に与えられ、フーリエ変換された後にチャネル補償器６２６に入力され、レプリカ信号ｄｉ’
としてサブキャリア毎に出力される。
【００５２】
ＩＣＩ抑制部６２８は、第１復調信号Ａに、硬判定信号Ｄｉとレプリカ信号ｄｉ’との差分を付加することで、修正された復調信号をサブキャリア毎に出力する。ＩＣＩ抑制部６２８の出力信号は、第２復調信号Ｂとして第２復調信号修正部６０５に与えられる。第２及び第３復調信号修正部６０５，６０７も同様な要素を有し、最終的に第３復調信号修正部６０７の出力信号が、第４復調信号Ｄとして出力される。第４復調信号Ｄは、以後の処理のために硬判定部６３０に与えられる。
【００５３】
本実施例によれば、第１乃至第３復調信号修正部６０３〜６０７が設けられ、復調信号の硬判定、レプリカ信号の生成及びキャリア間干渉を抑制する等の処理が、複数回反復される（本実施例では３回）。これにより、第１実施例の場合よりも高精度な復調信号を得ることが可能になる。
【００５４】
図７は、本願実施例によるシミュレーション結果を示す図である。このシミュレーションでは、伝送路モデルとして時不変２パスモデルを採用し、希望波と不要波とのＤ／Ｕ比（Ｄｅｓｉｒｅｄ−Ｕｎｄｅｓｉｒｅｄ  ｐｏｗｅｒ  ｒａｔｉｏ）が０ｄＢであり、信号雑音比Ｅｂ／Ｎ０が２０ｄＢという、劣悪な伝搬環境を想定している。先行波に対する遅延波の位相差は３０°としている。サブキャリア数は１０２４個とし、１つのＯＦＤＭシンボルは１２２４サンプルを有するものとする（そのうち２００サンプルは、ガードインターバルに割り当てられる。）。パイロットシンボル間隔は１６シンボルとし、変調方式は１６ＱＡＭである。
【００５５】
図７の縦軸はビットエラーレート（ＢＥＲ）を示し、横軸は遅延波の先行波に対する遅延量（サンプル数）を示す。グラフ７０２は、本願実施例による処理を行わずに復調した場合のＢＥＲ特性を示す。グラフ７０４は、図３に示す実施例による処理を行った場合のＢＥＲ特性を示す。グラフ７０６は、図６に示す実施例による処理を行った場合のＢＥＲ特性を示す（ただし、繰り返し回数は５回である。）。上述したように、ガードインターバルは２００サンプルなので、遅延波の位置が２００サンプルまでの区間のビットエラーレートは、本願実施例による場合７０４，７０６及び本願実施例の処理を行わなかった場合７０２ともに、１０−２程度の非常に小さな値を示すに過ぎない。しかしながら、遅延波の位置がガードインターバルを超えるにつれて（２００サンプル以上になるにつれて）、ビットエラーレートは劣化してゆく。何れの遅延波の位置に対しても、本願実施例の処理を行った方が良好なビットエラーレートを与えることが示されている。更に、グラフ７０４，７０６に示されるように、復調信号の修正を反復して行った方が良好なビットエラーレートを与えることが分かる。
【００５６】
以上に説明した本願実施例による硬判定部、レプリカ生成部及びＩＣＩ抑制部等は、比較的小規模で作成することが可能である。従って、本願実施例によれば、従来懸念されていた問題（回路規模、演算量及び消費電力の増大等）に対処することが可能になる。しかも、これらは変調方式に依存しないので、変調指数Ｍによらずシステムを構築することが可能になる。更に、最尤系列推定のような処理を行っていないので、軟判定情報を維持することも可能になる。なお、本願実施例でも硬判定を行っているが、この硬判定は、復調信号ｄｉに含まれるキャリア間干渉成分を評価するために行われるものであり、そのキャリア間干渉の除去された復調信号（ＩＣＩ抑制部の出力）には軟判定情報が維持されている。
【００５７】
以上に説明した本願実施例では、復調部１０６，３０６，６０６による暫定的な復調結果に基づいて復元された時間領域の受信信号を利用して、受信信号修正部１１８，３１８，６１８の修正が行われているが、他の信号を利用して修正を行うことも可能である。例えば、所定数のＯＦＤＭシンボル毎に受信される既知信号を利用することも可能である。送信側及び受信側で既知の既知信号を利用することで、より高精度に受信信号を修正することが可能になる。本願実施例では、シンボル間干渉（キャリア間干渉）を抑圧するにあたって、復調対象のＯＦＤＭシンボルに先行する復調済みのＯＦＤＭシンボルの内容が正しいことを前提としている。従って、先行するＯＦＤＭシンボルの復調結果が誤っていたとすると、その誤りが後続の復調結果にも連鎖的に波及してゆく虞がある。そのような事態が懸念される場合には、既知信号を利用して、復調の確度を向上させることが有利である。
【００５８】
以下、本発明が教示する手段を列挙する。
【００５９】
（付記１）  直交周波数分割多重（ＯＦＤＭ）方式で伝送されるＯＦＤＭシンボルを復調する受信機であって、
受信信号に含まれる先行波及び遅延波に関する遅延プロファイルを作成する遅延プロファイル作成手段と、
前記受信信号をフーリエ変換することで復調し、サブキャリア毎に復調信号を出力する復調手段と、
前記復調信号に基づいて、サブキャリア毎に信号点を硬判定し、硬判定信号を出力する硬判定手段と、
硬判定結果を利用して、サブキャリア毎のレプリカ信号を作成するレプリカ生成手段と、
前記硬判定信号及び前記レプリカ信号の差分を前記復調信号にサブキャリア毎に加えることで、キャリア間干渉を抑圧するキャリア間干渉抑圧手段
を有し、前記レプリカ生成手段が、
前記硬判定信号を逆フーリエ変換し、時間領域の受信信号を生成する手段と、復調の対象としているＯＦＤＭシンボル（復調対象シンボル）に先行する復調済みのＯＦＤＭシンボル（先行シンボル）を利用して、前記遅延波に含まれる前記先行シンボルの信号成分を抑圧する手段と、
前記時間領域の受信信号の一部を、前記遅延波の復調対象シンボルの前に付加することで、修正された受信信号を作成する手段と、
前記修正された受信信号をフーリエ変換することで、前記レプリカ信号を作成する手段
を有することを特徴とするＯＦＤＭシンボルを復調する受信機。
【００６０】
（付記２）  前記硬判定手段が、前記復調信号と、他のダイバーシチブランチにおける復調信号とを合成した信号に基づいて、サブキャリア毎に信号点を硬判定し、硬判定信号を出力するよう形成されることを特徴とする付記１記載の受信機。
【００６１】
（付記３）  前記硬判定手段が、前記復調信号を誤り訂正復号化する復号化手段と、誤り訂正復号化された信号点をサブキャリア毎に硬判定する判定手段と、硬判定結果を誤り訂正符号化することで前記硬判定信号を出力する出力手段とを有することを特徴とする付記１記載の受信機。
【００６２】
（付記４）  硬判定信号の作成、レプリカ信号の作成及びキャリア間干渉の抑制を含む一連の処理を行う処理系路が、多段に設けられることを特徴とする付記１記載の受信機。
【００６３】
（付記５）  更に、所定数のＯＦＤＭシンボル毎に受信される既知信号の一部を、前記遅延波の復調シンボルの前に付加することで、修正された受信信号を作成する手段を有することを特徴とする付記１記載の受信機。
【００６４】
（付記６）  遅延波に含まれる復調対象シンボルに先行する部分の信号内容が、前記時間領域の受信信号の一部に等しくなるように、前記受信信号が修正されることを特徴とする付記１記載の受信機。
【００６５】
（付記７）  直交周波数分割多重（ＯＦＤＭ）方式で伝送されるＯＦＤＭシンボルを復調する受信機であって、
受信信号に含まれる先行波及び遅延波に関する遅延プロファイルを作成する遅延プロファイル作成手段と、
復調の対象としているＯＦＤＭシンボル（復調対象シンボル）に先行する復調済みのＯＦＤＭシンボル（先行シンボル）を利用して、前記遅延波に含まれる前記先行シンボルの信号成分を抑圧することで、シンボル間干渉を抑圧するシンボル間干渉抑圧手段と、
前記シンボル間干渉抑圧手段からの出力信号をフーリエ変換することで復調し、サブキャリア毎に復調信号を出力する復調手段と、
前記復調信号に基づいて、サブキャリア毎に信号点を硬判定し、硬判定信号を出力する硬判定手段と、
硬判定結果を利用して、サブキャリア毎のレプリカ信号を作成するレプリカ生成手段と、
前記硬判定信号及び前記レプリカ信号の差分を前記復調信号にサブキャリア毎に加えることで、キャリア間干渉を抑圧するキャリア間干渉抑圧手段
を有し、前記レプリカ生成手段が、
前記硬判定信号を逆フーリエ変換し、時間領域の受信信号を生成する手段と、
前記時間領域の受信信号の一部を、前記遅延波の復調対象シンボルの前に付加することで、修正された受信信号を作成する手段と、
前記修正された受信信号をフーリエ変換することで、前記レプリカ信号を作成する手段
を有することを特徴とするＯＦＤＭシンボルを復調する受信機。
【００６６】
（付記８）  前記硬判定手段が、前記復調信号と、他のダイバーシチブランチにおける復調信号とを合成した信号に基づいて、サブキャリア毎に信号点を硬判定し、硬判定信号を出力するよう形成されることを特徴とする付記７記載の受信機。
【００６７】
（付記９）  前記硬判定手段が、前記復調信号を誤り訂正復号化する復号化手段と、誤り訂正復号化された信号点をサブキャリア毎に硬判定する判定手段と、硬判定結果を誤り訂正符号化することで前記硬判定信号を出力する出力手段とを有することを特徴とする付記７記載の受信機。
【００６８】
（付記１０）  硬判定信号の作成、レプリカ信号の作成及びキャリア間干渉の抑制を含む一連の処理を行う処理系路が、多段に設けられることを特徴とする付記７記載の受信機。
【００６９】
（付記１１）  更に、所定数のＯＦＤＭシンボル毎に受信される既知信号の一部を、前記遅延波の復調シンボルの前に付加することで、修正された受信信号を作成する手段を有することを特徴とする付記７記載の受信機。
【００７０】
（付記１２）  遅延波に含まれる復調対象シンボルに先行する部分の信号内容が、前記時間領域の受信信号の一部に等しくなるように、前記受信信号が修正されることを特徴とする付記７記載の受信機。
【００７１】
【発明の効果】
以上のように本発明によれば、ＯＦＤＭシンボルのガードインターバルを越えて遅れて到来する遅延波に起因するシンボル間干渉を低減させることが可能になる。更に本発明によれば、ＯＦＤＭシンボルのガードインターバルを越えて遅れて到来する遅延波に起因するシンボル間干渉を低減させつつ、復調のための回路規模を小さくすることが可能になる。更に、本発明によれば、ＯＦＤＭシンボルのガードインターバルを越えて遅れて到来する遅延波に起因するシンボル間干渉を低減させつつ、復調に際して軟判定情報を維持することを可能にする。
【００７２】
【図面の簡単な説明】
【図１】図１は、本願第１実施例による受信機の機能ブロック図を示す。
【図２】図２は、受信信号の一例を示す図である。
【図３】図３は、本願第２実施例による受信機の機能ブロック図を示す。
【図４】図４は、硬判定部の変形例を示す図である。
【図５】図５は、硬判定部の変形例を示す図である。
【図６】図６は、本願第３実施例による受信機の機能ブロック図を示す。
【図７】図７は、従来例及び本願実施例によるシミュレーション結果を示す図である。
【符号の説明】
１００  受信機
１０２  遅延プロファイル生成部
１０４，１０８，１２４  高速フーリエ変換部
１０６  復調部
１１０，１２６  チャネル補償部
１１２，１３０  硬判定部
１１６，１３２  逆高速フーリエ変換部
１１８  受信信号修正部
１２０  抑制部
１２２  加算部
１２８  キャリア間干渉抑制部
１３４  遅延部
２０２  先行波
２０４  遅延波
２０６，２０８，２１０，２１２  有効シンボル部分
２１４，２１６  ガードインターバル
３００  受信機
３０２  遅延プロファイル生成部
３０４，３０８，３２４  高速フーリエ変換部
３０６  復調部
３１０，３２６  チャネル補償部
３１２，３３０  硬判定部
３１６，３３２  逆高速フーリエ変換部
３１８  受信信号修正部
３２８  キャリア間干渉抑制部
３３４  遅延部
３３６  抽出部
３３８  抑制部
４０２  硬判定部
４０４  合成部
４０６  判定部
５０２  硬判定部
５０４  誤り訂正復号部
５０６  判定部
５０８  誤り訂正符号部
６００  受信機
６０２  遅延プロファイル生成部
６０４，６２４  高速フーリエ変換部
６０６  復調部
６１２，６３０  硬判定部
６１６，６３２  逆高速フーリエ変換部
６１８  受信信号修正部
６２８  キャリア間干渉抑制部
６３４  遅延部
【図１】
2004289475.tif 000003
【図２】
2004289475.tif 000004
【図３】
2004289475.tif 000005
【図４】
2004289475.tif 000006
【図５】
2004289475.tif 000007
【図６】
2004289475.tif 000008
【図７】
2004289475.tif 000009